(57)【要約】【課題】建物の壁や塀の一部に透かし孔を形成する場合に、コンクリートブロックの上端面や下端面を切り欠いたり、孔を埋めたりする現場作業を不要にし、かつ上記透かし孔の形状を比較的自由に設定できるようにし、また鉄筋配置用の縦溝や横溝を広くし、充填モルタル量を多くして鉄筋の被覆モルタルを厚くし、もって組積みで得られる壁等の耐久性や構造耐力の向上を可能にする。【解決手段】外形が直方体形状に形成された建築用コンクリートブロック１０において、その上面１３に１本または２本の凹溝１３aが前後方向に横断して前面１１および後面１２で開口するように、かつ前後方向の各部で一定の断面形状で形成され、下面１４に横筋配置用の横溝１４aが形成され、左右両面１５、１６に縦筋配置用の縦溝１５ａ、１６ａが形成される。【選択図】      図２
2006169750.tif 000002
【特許請求の範囲】
【請求項１】
外形が直方体形状に形成された建築用コンクリートブロックにおいて、その上面に１本または２本の凹溝が前後方向に横断して前面および後面で開口するように、かつ前後方向の各部で一定の断面形状で形成され、下面に横筋配置用の横溝が形成され、左右両面に縦筋配置用の縦溝が形成されていることを特徴とする建築用コンクリートブロック。
【請求項２】
前面および後面に上下方向の縦溝が上面の凹溝と交差するように形成され、この縦溝の深さが上下方向の各部で一定に、または上方で増大するように設定されており、この縦溝の上端に上記の凹溝が開口している請求項１記載の建築用コンクリートブロック。
【発明の詳細な説明】
【技術分野】
【０００１】
この発明は、建築用コンクリートブロックに関し、建物の壁、間仕切り、手摺壁および塀等の一部に用いて上記の壁等に透かし孔を形成し、光や風を通したり、水道、電気等の各種配管を挿通したりするのを可能にする。
【背景技術】
【０００２】
壁や塀の建設に用いる建築用コンクリートブロックとして、図１の左に示される三芯空洞コンクリートブロック１が広く用いられている。このブロック１は、外形が直方体形状に形成され、前面、後面および上下左右の端面を備えており、左右両面に縦筋用の縦溝２を備え、この左右両面の縦溝２、２間に３本の縦孔３を備えている。そして、建物の壁や塀の一部に透かし孔を形成する場合は、建設の現場において上端面もしくは下面の中央を切り欠き、鎖線で示すように前後方向の凹溝４を形成している。しかしながら、この場合は、現場作業を必要とし、かつ凹溝４の底に中央の縦孔２が開口するので、この中央の縦孔３を埋めて凹溝４の底を平らに修正する必要があった。
【０００３】
また、図１右の環状コンクリートブロック６が下記の特許文献１に開示されている。この環状コンクリートブロック６は、前面および後面がほぼ正方形に形成され、その中央に正方形の角孔７が前後方向に貫通して設けられ、上下左右の端面中、上下の端面の一方に横筋配置用の横溝８が、また左右の端面の一方に縦筋配置用の縦溝９がそれぞれ形成され、残り２方向の端面がそれぞれ平坦に形成されており、１個のコンクリートブロックの中央部に前後方向の貫通孔を有するので、この貫通孔を光や風または各種配管を通すのに使用することができ、また組積みの際は２方向の端面に形成した凹溝を利用して鉄筋を配置することができる。
【特許文献１】特許第３２９２７００号公報
【０００４】
しかしながら、上記の環状コンクリートブロック６は、正面からみて正方形のコンクリートブロックの中央部に前後方向の貫通孔すなわち透かし孔を形成したものであるから、透かし孔の形状および寸法が限定され、また組積み時に鉄筋を配しモルタルを充填すべき空間が狭くなり、そのため太い径の鉄筋使用が困難となり、かつ鉄筋を包むモルタルの厚みが薄くなって上記壁等の耐久性や構造耐力が不十分になり、これを避けるためには上記透かし孔を備えたコンクリートブロックの配置を減らさなければならない等の問題があった。
【発明の開示】
【発明が解決しようとする課題】
【０００５】
この発明は、建物の壁や塀の一部に透かし孔を形成する場合に、コンクリートブロックの上面や下面を切り欠いたり、孔を埋めたりする現場作業を不要にし、かつ上記透かし孔の形状を比較的自由に設定できるようにし、また鉄筋配置用の縦溝や横溝を広くし、充填モルタル量を多くして鉄筋の被覆モルタルを厚くし、もって組積みで得られる壁等の耐久性や構造耐力の向上を可能にする。
【課題を解決するための手段】
【０００６】
この発明は、外形が直方体形状に形成された建築用コンクリートブロックにおいて、その上面に１本または２本の凹溝が前後方向に横断して前面および後面で開口するように、かつ前後方向の各部で一定の断面形状で形成され、下面に横筋配置用の横溝が形成され、左右両面に縦筋配置用の縦溝が形成されていることを特徴とする建築用コンクリートブロックである。
【０００７】
通常の建築用コンクリートブロック（以下、「通常型ブロック」という）は、長方形もしくは正方形の前面、後面および上下左右の端面で囲まれた直方体の外形を備えており、その多数個を縦横に積み重ねて壁や塀等に形成される。その際、通常型ブロック中に、この発明に係る上記の凹溝付き建築用コンクリートブロック（以下、「凹溝付きブロック」という）を混在させると、この凹溝付きブロックの凹溝が通常型ブロックの上面または下面によって塞がれ、上記の壁や塀に上記凹溝の断面形状と等しい方形の透かし孔が形成される。なお、同じ凹溝付きブロックを、向きを揃えて重ねた場合も同様の透かし孔が形成される。また、凹溝が左右対称に形成された同じ凹溝付きブロックを、両者の凹溝が対向するように重ねた場合は、２倍の大きさの透かし孔が形成される。
【０００８】
通常型ブロックを組積みする際は、上下左右に隣接する２個のコンクリートブロックの接触面は、それぞれ互いに目地モルタルで接着され、また上面または下面に形成された横溝には横筋が、左右の端面に形成された縦溝には縦筋がそれぞれ所定間隔で配置されると共に、横筋および縦筋の周囲にモルタルが充填される。したがって、上記の凹溝付きブロックを混在させた場合は、上記同様に四周が目地モルタルで接着される。そして、この発明の凹溝付きブロックでは、下面に横筋用の横溝が、また左右両面に縦筋用の縦溝がそれぞれ形成されているので、上記の凹溝を有する上面以外の端面には、必要に応じて横筋または縦筋を配置し、その周囲にモルタルを充填し、壁や塀を補強することができる。
【０００９】
この発明に係る上記の凹溝付きブロックは、上面に１本または２本の凹溝を前後方向に横断して前面および後面で開口するように、かつ前後方向の各部で一定の断面形状となるように形成したものであるが、この凹溝は、上面を前後方向すなわち厚さ方向に横断する溝状で、厚さ方向の各部で幅や深さが変化せず、断面形状が一定であれば、その断面形状自体は任意であり、半円形、半楕円形、三角形、角形等を選択できる。
【００１０】
なお、上記の凹溝付きコンクリートブロックは、その前面および後面に上下方向の縦溝を上面の凹溝と交差するように形成することができ、この場合は、コンクリートブロックが軽量化され、かつ装飾性が向上する。ここで、上記の縦溝は、深さが上下方向の各部で一定に、または上方で増大するように設定され、これによって成形が容易となる。そして、この縦溝の上端に上記の凹溝が開口される。また、上記の凹溝付きブロックは、その前面および後面に割れ肌や研磨、ショットブラスト等の加工を施したり、また多数本の縦筋を等ピッチで、または不等ピッチで刻設したりした化粧コンクリートブロックとすることができる。
【発明の効果】
【００１１】
この発明は、上面に前後方向の凹溝を形成し、下面に横筋配置用横溝を、左右両面に縦筋配置用縦溝をそれぞれ形成した凹溝付きブロックであるから、この凹溝付きブロックのみを用いて壁や塀を建設することができ、また通常の建築用コンクリートブロックに混用して上記の壁や塀を建設することができ、かつ横筋配置用横溝を用いて横筋を配置し、縦筋配置用縦溝を用いて縦筋を配置し、これらの横溝、縦溝にモルタルを充填して壁や塀を補強することができる。そして、上記の凹溝付ブロックの上下の向きを揃えて組積みした際は、上記の凹溝によってブロック１個に付き１個の透かし孔が形成され、凹溝を左右対称に形成し、その２個を凹溝が対向するように上下に重ねて配置した際は、上下２個の凹溝が合体して２倍の断面積の透かし孔が形成される。
【００１２】
また、上記凹溝の断面形状は、前後方向の各部で一定であるため、製造が容易である。そして、上記の断面形状は、前後方向の各部で一定である限り、断面形状自体は、角形、円形その他任意であり、また透かし孔を凹溝付きブロックの１個でも、また２個でも作ることができるため、透かし孔の形状および大きさの選択範囲が拡大し、意匠性が向上する。また、透かし孔用の凹溝が上面のみに設けられ、下面に横筋配置用横溝が、左右両面に縦筋配置用縦溝がそれぞれ設けられるため、前面中央に透かし孔を形成する場合に比べ、上記三方の配筋用溝を広くすることができ、そのため鉄筋を包むモルタル量を多くして厚みを増し、また太い鉄筋を使用することが可能になり、壁構造の耐久性および構造耐力が向上する。
【００１３】
特に請求項２にかかる発明は、コンクリートブロックが軽量化されると共に、装飾性が向上し、しかも前面および後面の縦溝深さが一定または上で深くなるように設定されるため、下面の横溝を狭くする必要がなく、そのため壁構造の耐久性および構造耐力を低下させずに上記の軽量化を達成し、成形性を良好に維持し、かつ装飾性を向上することができる。
【発明を実施するための最良の形態】
【００１４】
実施形態１
図２に示す実施形態１の建築用コンクリートブロック（凹溝付きブロック）１０は、全体として左右方向に長い直方体に形成され、前面１１、後面１２、上面１３、下面１４、左面１５および右面１６を備え、その上面１３の左右に上下方向の縦孔１７が貫通状に設けられている。そして、この実施形態１では、前面１１および後面１２がそれぞれ平坦に形成され、上面１３の中央に凹溝１３aが前後方向に、かつ長方形断面に、その深さおよび幅が前後方向の各部で一定に形成されている。また、下面１４には横筋配置用の横溝１４aが形成され、左面１５および右面１６には、それぞれ縦筋配置用縦溝１５ａおよび１６ａが形成されている。
【００１５】
上記凹溝付きブロック１０の組積み形態が図３に例示される。図３の（ａ）は、上記の凹溝付きブロック１０のみを、その凹溝１３aを下向きに揃えて芋積みしたものである。また、（ｂ）は、上記の凹溝付きブロック１０のみを、その凹溝１３ａを上向きに揃えて芋積みしたものである。また、（ｃ）は、上記の凹溝付きブロック１０と、該ブロック１０の凹溝１３ａを欠く以外は該ブロック１０と同じ形状の通常型ブロック１０Ａとを併用し、上記凹溝付きブロック１０の凹溝１３ａを下向きに用いたものである。
【００１６】
なお、上記の組積み形態（ａ）、（ｂ）および（ｃ）において、左右のブロック間には縦筋を任意間隔で配置することができる。また、（ａ）および（ｃ）の上下のブロック間には横筋をそれぞれ任意間隔で配置することができる。ただし、（ｂ）では、横筋の配置が省略され、上下のブロックが目地モルタルのみで接着される。また、上記図２に示した凹溝１３aは、断面形状が方形のものであるが、図４の左に示す台形断面の凹溝１３ｂ、および右に示す半円形断面の凹溝１３ｃその他に変形することができる。また、前面１１および後面１２には、図５に示すように、その全面に多数本の縦筋模様１１aを成形により形成して装飾性を加えることができる。
【００１７】
実施形態２
図６において、実施形態２の建築用コンクリートブロック（凹溝付きブロック）２０は、前記の実施形態１と同様に、全体として左右方向に長い直方体に形成され、前面２１、後面２２、上面２３、下面２４、左面２５および右面２６を備え、上面２３の左右に縦孔２７が貫通状に設けられている。そして、上面２３の中央に凹溝２３aが前後方向に、かつ長方形断面に、その深さおよび幅が前後方向の各部で一定に形成されている。また、下面２４には横筋配置用の横溝２４aが形成され、左面２５および右面２６には、それぞれ縦筋配置用縦溝２５aおよび２６ａが前記の実施形態１と同様に形成されている。
【００１８】
ただし、この実施形態２では、前面２１および後面２２にそれぞれ縦溝２１aおよび２２aが前後対称形に凹設され、その底面に上記の凹溝２３aが開口する。ここで、前面２１の縦溝２１aは、前面２１の左右の側縁に近接する平行な溝壁２１ｂと広い幅の底面２１ｃとからなり、この底面２１ｃがその左右の縁部付近および下縁付近からそれぞれ後方に傾斜させて設けた傾斜面２１ｄによって皿形に形成される。そして、後面２２の縦溝２２ａは、上記前面２１の凹部２１aと対称形に形成される。したがって、この実施形態２は、上記の縦溝２１ａ、２２ａを有することにより、一層の軽量化が可能となり、かつ装飾性が向上する。しかも、上記の縦溝２１ａ、２２ａは、溝壁２１ｂ、２２ｂが前面２１、後面２２の側縁と平行に形成され、底面２１ｃの上部傾斜面２１ｄが後面側に傾斜し、前面２１、後面２２の上縁側中央で深さが最大になる皿形に形成されるため、成形が容易である。
【００１９】
実施形態３
図７において、実施形態３の建築用コンクリートブロック（凹溝付きブロック）３０は、前面３１および後面３２がほぼ正方形で、前後方向すなわち厚さ方向に短い直方体に形成され、上面３３に左右２本の凹溝３３ａが前記同様に形成され、下面３４には横筋配置用の横溝３４ａが形成され、左面３５および右面３６には、それぞれ縦筋配置用縦溝３５ａおよび３６ａが前記同様に形成されている。ただし、この実施形態３では、前面３１および後面３２に、それぞれ上記の凹溝３３ａ、３４ａと交差するように該凹溝３３ａ、３４ａと等しい幅で縦溝３１ａ、３２ａ(図示されていない)が浅く凹設される。ここで、前面３１の縦溝３１aは、底面３１ｂの上半部が溝深さを深くする方向の傾斜面３１ｃに形成される。なお、後面３２の縦溝３２ａ（図示されていない）も同様に形成される。
【００２０】
この実施形態３の凹溝付きブロック３０は、前面３１および後面３２にそれぞれ上記の縦溝３１ａ、３２ａを有しているので、実施形態２と同様に軽量化され、かつ装飾性に優れる。しかも、上記の縦溝３１ａ、３２ａは、等しい幅で縦方向に形成され、前面３１の底面３１ｂの上半部が後方に傾斜し、これと対象形に後面３２の縦溝３２ａが形成されるので、実施形態２と同様に成形も容易である。
【図面の簡単な説明】
【００２１】
【図１】従来例の斜視図である。
【図２】実施形態１の斜視図である。
【図３】組積み状態を例示する正面図である。
【図４】実施形態１の変形例を示す正面図である。
【図５】実施形態１の他の変形例を示す斜視図である。
【図６】実施形態２の斜視図である。
【図７】実施形態３の斜視図である。
【符号の説明】
【００２２】
１０、２０、３０：建築用コンクリートブロック
１１、２１、３１：前面
１２、２２、３２：後面
１３、２３、３３：上面
１４、２４、３４：下面
１５、２５、３５：左面
１６、２６、３６：右面
１７、２７：縦孔
１３ａ、２３ａ、３３ａ：凹溝
１４ａ、２４ａ、３４ａ：横溝
１５ａ、１６ａ、２５ａ、２６ａ、３５ａ、３６ａ：縦溝
２１ａ、３１ａ：縦溝
【図１】
2006169750.tif 000003
【図２】
2006169750.tif 000004
【図３】
2006169750.tif 000005
【図４】
2006169750.tif 000006
【図５】
2006169750.tif 000007
【図６】
2006169750.tif 000008
【図７】
2006169750.tif 000009